(57)【要約】【課題】リール本体の上部を開閉可能にする移動部材を装着した魚釣用リールにおいて、移動部材に糸絡みが生じ難く取扱い性の良い魚釣用リールを提供する。【解決手段】本発明の魚釣用リールは、釣糸が巻回されるスプール５前方に設置され、釣糸を案内するラインガイド３２と、スプール５を、釣糸巻き取り状態と釣糸放出状態に切換えるクラッチ機構と、クラッチ機構を少なくともＯＮ状態からＯＦＦ状態に切換える切換部材５２と、ラインガイド３２の上側開口を解放する釣糸放出モードと、ラインガイド３２の少なくとも一部を閉じる釣糸案内モードとの間を切換可能にすると共に、リール本体１を握持保持する手の親指が当接可能なパーミング部を前方に有する移動部材５４と、を有する。そして、移動部材５４と切換部材５２とは、少なくとも切換部材５２が個別操作可能となるように関連している。【選択図】図２
2011177154.tif 000002
【特許請求の範囲】
【請求項１】
リール本体の左右側板間に回転可能に支持されたスプール前方に設置され、釣糸を案内するラインガイドと、
前記スプールを、釣糸巻き取り状態と釣糸放出状態に切換えるクラッチ機構と、
前記クラッチ機構を少なくともＯＮ状態からＯＦＦ状態に切換える切換部材と、
前記ラインガイドの上側開口を解放する釣糸放出モードと、ラインガイドの少なくとも一部を閉じる釣糸案内モードとの間を切換可能にすると共に、前記リール本体を握持保持する手の親指が当接可能なパーミング部を前方に有する移動部材と、
を有し、
前記移動部材と前記切換部材とは、少なくとも切換部材が個別操作可能となるように関連していることを特徴とする魚釣用リール。
【請求項２】
前記移動部材は、移動部材を操作した際、前記切換部材を一体的に移動可能とするように切換部材に係合することを特徴とする請求項１に記載の魚釣用リール。
【請求項３】
前記移動部材と切換部材との間に、両部材を一体的に移動可能にする連結部材を配設したことを特徴とする請求項２に記載の魚釣用リール。
【請求項４】
前記移動部材及び切換部材は個別操作可能となっており、
前記移動部材と切換部材との間に、両部材を一体的に移動可能にする連結部材を配設したことを特徴とする請求項１に記載の魚釣用リール。
【発明の詳細な説明】
【技術分野】
【０００１】
本発明は、スプール前方の側板間に、スプールに釣糸を平行に巻回案内する釣糸案内装置（レベルワインド装置とも称する）を備えた魚釣用リールに関する。
【背景技術】
【０００２】
一般的に、上記したタイプの魚釣用リールは、ハンドルを巻き取り操作すると、スプールの前方に設置された釣糸案内装置のラインガイドが左右に往復動する。前記ラインガイドは、釣糸が挿通するように長孔又は丸孔に形成されているため、ハンドルの巻き取り操作に伴ってラインガイドが左右に往復動すると、釣糸は、ラインガイドを介して、回転するスプールに対して平行に巻回される。
【０００３】
ところで、釣糸放出操作時において、スプールから繰り出される釣糸は、スプールの左右方向に移動して上方に膨出しながらラインガイドを通して前方に放出されることから、ラインガイドとの間に発生する接触抵抗の影響を受けて飛距離が低下するという問題がある。このため、特許文献１には、上向きに開口する釣糸挿通部を形成したラインガイドを有する釣糸案内装置を備えた魚釣用リールが開示されている。
【０００４】
しかし、この魚釣用リールでは、スプールの上方が大きく開口しているので、握持保持しての合わせ操作や巻き取り操作が容易に行えないと共に、釣場の移動時や携帯時に釣糸が釣糸挿通部より外れ易く、糸絡みし易い。
【０００５】
そこで、このような不具合を解消するため、本出願人は、リール本体上部の左右側板間をカバーする移動部材（パーミングプレート）とクラッチ切換部材を連動可能に構成し、クラッチＯＦＦ操作で移動部材を上方に移動して釣糸案内部を大きく開口すると共に、クラッチＯＮ操作で移動部材を閉じて通常の釣糸案内状態に復帰可能とする魚釣用リールを提案している（特許文献２参照）。
【先行技術文献】
【特許文献】
【０００６】
【特許文献１】特許第３４０３６１８号
【特許文献２】特開２００９−２８４７７６号
【発明の概要】
【発明が解決しようとする課題】
【０００７】
上記した特許文献２に開示されている魚釣用リールでは、クラッチのＯＮからＯＦＦ、ＯＦＦからＯＮの切換操作に連動してリール本体の上部に設けた移動部材も一緒に上方に開いたり閉じたりするため、例えば、クラッチをＯＦＦにして仕掛け長を調整する際に、リール本体を握持保持しながら、ラインガイドを通して釣糸を必要に応じて糸絡みすることなく、容易に繰り出すことが難しい。
【０００８】
また、クラッチをＯＦＦにすると必然的に移動部材も上方に開くことから、例えば、クラッチをＯＦＦにした後、一方の手でリール本体を握持保持し、他方の手でサミング操作しながらバックラッシュや糸絡みの防止を図りつつ釣糸（仕掛け）を所望の位置へ繰り出すような釣法には容易に対応できない。
【０００９】
本発明は、上記した問題に着目してなされたものであり、リール本体の上部を開閉可能にする移動部材を装着した魚釣用リールにおいて、移動部材に糸絡みが生じ難く取扱い性の良い魚釣用リールを提供することを目的とする。
【課題を解決するための手段】
【００１０】
上記した目的を達成するために、本発明に係る魚釣用リールは、リール本体の左右側板間に回転可能に支持されたスプール前方に設置され、釣糸を案内するラインガイドと、前記スプールを、釣糸巻き取り状態と釣糸放出状態に切換えるクラッチ機構と、前記クラッチ機構を少なくともＯＮ状態からＯＦＦ状態に切換える切換部材と、前記ラインガイドの上側開口を解放する釣糸放出モードと、ラインガイドの少なくとも一部を閉じる釣糸案内モードとの間を切換可能にすると共に、前記リール本体を握持保持する手の親指が当接可能なパーミング部を前方に有する移動部材と、を有し、前記移動部材と前記切換部材とは、少なくとも切換部材が個別操作可能となるように関連していることを特徴とする。
【００１１】
上記した魚釣用リールの構成によれば、リール本体に設けた移動部材とクラッチ機構の切換部材とは、少なくとも切換部材が個別操作可能となるように関連しているため、釣り人の選択操作により、クラッチ機構をＯＦＦにする際、移動部材を釣糸放出モードに移動しないようにすることが可能である。これにより、クラッチをＯＦＦにして仕掛け長を調整する際に、移動部材が邪魔になったり移動部材に糸絡みすることが防止される。また、移動部材を釣糸案内モードにした状態でクラッチをＯＦＦにすることができるので、これにより、釣糸（仕掛け）を所望の位置へ繰り出す際、一方の手でリール本体を握持保持し、他方の手でサミング操作しながらバックラッシュや糸絡みの防止を図るような操作も容易に行えるようになる。
【００１２】
なお、上記した構成では、少なくとも切換部材が個別操作可能となるように、移動部材と切換部材が関連していれば良い。このため、切換部材と移動部材が、共に個別操作可能となるように構成されていても良い。
【発明の効果】
【００１３】
本発明によれば、リール本体の上部を開閉可能にする移動部材を装着した魚釣用リールにおいて、移動部材に糸絡みが生じ難く取扱い性の良い魚釣用リールが得られる。
【図面の簡単な説明】
【００１４】
【図１】本発明に係る魚釣用リールの第１の実施形態を示す平面図。
【図２】釣糸案内装置のラインガイドの構成を示す平面図。
【図３】移動部材の切換部とクラッチ機構の切換部材の関係を示し、（ａ）は、移動部材の切換部とクラッチ機構の切換部材の配置態様を示す図、（ｂ）は、切換部材を操作した状態を示す図、（ｃ）は、移動部材の切換部を操作した状態を示す図。
【図４】釣糸案内装置のラインガイドの概略を示す図であり、リール本体を正面から見た図。
【図５】リール本体のクラッチ機構の概略を示す図であり、図３（ａ）の状態を示す図。
【図６】リール本体のクラッチ機構の概略を示す図であり、図３（ｂ）の状態を示す図。
【図７】リール本体のクラッチ機構の概略を示す図であり、図３（ｃ）の状態を示す図。
【図８】リール本体の正面図であり、図３（ｃ）の状態を示す図。
【図９】移動部材の動作を説明する図であり、（ａ）は、移動部材がラインガイドの少なくとも一部を閉じる釣糸案内モードを示す図、（ｂ）は、釣糸放出モードを示す図。
【図１０】本発明の第２の実施形態に係る移動部材の切換部とクラッチ機構の切換部材の関係を示し、（ａ）は、移動部材の切換部とクラッチ機構の切換部材の配置態様を示す図、（ｂ）は、（ａ）のＡ−Ａ線に沿った断面図、（ｃ）は、切換部材を操作した状態を示す図、（ｄ）は移動部材の切換部を操作した状態を示す図。
【図１１】（ａ）は、図１０に示す構成において、連結部材によって移動部材の切換部とクラッチ機構の切換部材を一体化した状態を示す図、（ｂ）は、（ａ）のＢ−Ｂ線に沿った断面図、（ｃ）は、両部材を操作した状態を示す図。
【図１２】本発明の第３の実施形態に係る移動部材の切換部とクラッチ機構の切換部材の関係を示し、（ａ）は、移動部材の切換部とクラッチ機構の切換部材の配置態様を示す図、（ｂ）は、（ａ）のＣ−Ｃ線に沿った断面図、（ｃ）は、切換部材を操作した状態を示す図、（ｄ）は移動部材の切換部を操作した状態を示す図。
【図１３】（ａ）は、図１２に示す構成において、連結部材によって移動部材の切換部とクラッチ機構の切換部材を一体化した状態を示す図、（ｂ）は、（ａ）のＤ−Ｄ線に沿った断面図、（ｃ）は、両部材を操作した状態を示す図。
【発明を実施するための形態】
【００１５】
以下、図面を参照して、本発明に係る魚釣用リールの実施形態について具体的に説明する。  
図１から図９は、本発明の第１の実施形態を示す図である。
【００１６】
図１に示すように、魚釣用リールのリール本体１は、釣糸が巻回されるスプール５を回転可能に支持した左右側板２Ａ，２Ｂを備えている。ここで、「側板」とは、スプール５の両端側に位置する構造体が該当し、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂによって定義される。このため、左右フレームと左右外側板との間の内部空間には、例えば、駆動力伝達機構、クラッチ機構、バックラッシュ防止機構等が設置されるようになっている。なお、フレームと外側板の形状については、適宜変形することが可能であり、それらを構成する材料については限定されることはない。また、外側板のフレームに対する装着方法や装着位置についても、リール本体の構成等により、様々な方法を用いることが可能である。
【００１７】
前記左右フレーム２ａ，２ｂは、複数の支柱を介して一体化されており、その下方側の支柱には、釣竿のリールシートに装着されるリール脚６が設けられている。また、左右フレーム２ａ，２ｂ間には、軸受を介してスプール軸５ａが回転可能に支持されており、このスプール軸５ａに前記スプール５が装着されている。なお、スプール軸５ａを回転可能に支持する軸受は、フレーム部分に配設されていても良いし、外側板部分に配設されていても良い。
【００１８】
前記スプール５は、リール本体１の右側板２Ｂ側に設置されたハンドル８を回転操作することによって回転される。ハンドル８は、右外側板３ｂから突出したハンドル軸８ａの端部に取り付けられており、右外側板との間に介在された逆転防止機構（転がり式一方向クラッチ）によって、釣糸巻取方向にのみ回転可能となっている。
【００１９】
右フレーム２ｂと右外側板３ｂとの間には、ハンドル８の回転運動をスプール軸５ａ、及び後述する釣糸案内装置２０の螺軸２１に伝達する駆動力伝達機構１０、駆動力の伝達を継脱するクラッチ機構５０、更には、魚釣時にスプール５から釣糸が繰り出された際、スプール５にドラグ力を付与する公知のドラグ機構等が収容されている。
【００２０】
前記駆動力伝達機構１０は、公知のように、ハンドル軸８ａに回転可能に支持された駆動歯車１１と、この駆動歯車１１に噛合するピニオン１２とを備えている。前記ピニオン１２は、スプール軸５ａと同軸上に設置されており、ピニオン軸１２ａに沿って軸方向に移動可能となっている。また、ピニオン１２の外周には、円周溝が形成されており、この円周溝に、後述するクラッチ機構５０のヨーク５７が係合して、ピニオン１２を軸方向に移動させるようになっている。すなわち、ピニオン１２が軸方向に移動することで、スプール軸５ａとの間で継脱がなされ、動力伝達状態（クラッチＯＮ）／動力遮断状態（クラッチＯＦＦ）に切り換えられるようになっている。
【００２１】
前記スプール５の左右側板間には、釣糸案内装置２０が配置されている。この釣糸案内装置２０は、左右側板間に回転可能に支持され、前記駆動力伝達機構１０を介して回転可能に駆動される螺軸２１を備えている。前記ハンドル軸８ａには、駆動歯車１１と隣接して入力ギヤ１１ａが設けられており、この入力ギヤ１１ａに、前記螺軸２１の端部に設置された歯車２１ａが噛合されている。
【００２２】
前記釣糸案内装置２０は、スプール５の前方の左右側板間に設置されて、ハンドル８の巻き取り操作によって左右往復動されるスライダ本体２２を備えている。スライダ本体２２は、前記螺軸２１と平行となるように左右側板間に支持されたガイド軸２３に対して回り止め保持されている。
【００２３】
前記螺軸２１の外周面には、螺旋溝２１ｂが形成されており、螺軸２１は、左右側板間に設置された筒体２５内に収容されている。筒体２５には、軸方向に延出する長孔２５ａが形成されており、前記螺旋溝２１ｂを軸方向に沿って部分的に露出させている。また、前記スライダ本体２２は、筒体２５を囲繞するように配置、形成されており、その内部に、前記長孔２５ａを介して螺旋溝２１ｂと係合する摺動子２６を保持している。なお、摺動子２６は、袋ナット２６ａによってスライダ本体２２に対して固定される。
【００２４】
これにより、スライダ本体２２は、螺軸２１が入力ギヤ１１ａによって回転駆動されることで、螺旋溝２１ｂに係合する摺動子２６を介して、ガイド軸２３に沿って左右往復動される。
【００２５】
また、前記釣糸案内装置２０は、釣糸が案内されるラインガイド３２が設けられた揺動体３０を備えている。
【００２６】
前記揺動体３０は、板状に構成されており、リール本体１のスプール５の下方側において、支持部３１を介して、その一端部が回動可能に支持されている。具体的には、図５に示すように、リール脚６の表面側で、好ましくは、スプール軸５ａよりも前方側となる位置で支持部３１を介して回動可能に支持されている。この場合、支持部３１は、揺動体３０をリール脚６に対して回動可能に固定する雄ネジ部材によって構成されている。
【００２７】
前記揺動体３０は、前方側に向けて略水平に延出する延出部３０ａと、延出部３０ａの先端で上方側に向けて屈曲形成された屈曲部３０ｂとを備えており、その屈曲部３０ｂの上端には、前記ラインガイド３２が設けられている。この場合、ラインガイド３２は、図に示すように、揺動体３０と一体形成されたものであっても良いし、別体として揺動体３０に一体化された構成であっても良い。
【００２８】
前記揺動体３０の屈曲部３０ｂの下面（ラインガイド３２の下面）には、下方に向けて突出する連結部３０ｃが形成されており、この連結部３０ｃは、前記スライダ本体２２に形成された長孔２２ａに係合されている。すなわち、揺動体３０とスライダ本体２２とは連結部３０ｃを介して連結された状態となっており、上記したように、スライダ本体２２が左右に往復動された際、揺動体３０は、支持部３１を回動中心として、その先端側（ラインガイド側）が円弧状に揺動されるようになっている。
【００２９】
前記ラインガイド３２は、フレーム構造となっており、図４及び図８に示すように、正面視した際、略Ｖ字状に形成されている。すなわち、ラインガイド３２は、上方が開口し、釣糸が挿通される釣糸案内部３２ａと、釣糸案内部３２ａの上方の両外側に延設され、それぞれの先端が左右側板２Ａ，２Ｂに対して移動可能に係合される係合部３２ｃ，３２ｄと、を有している。
【００３０】
前記釣糸案内部３２ａは、図５に示すように、側面視した際、後方側に傾斜するように立ち上げられており、更に、釣糸案内部３２ａの上端は、後方に向けて次第に広がるように傾斜したガイド部３２ｅ，３２ｆ（釣糸を釣糸案内部３２ａに誘導する機能を有する）となっている。そして、ガイド部３２ｅ，３２ｆの先端に、前記係合部３２ｃ，３２ｄが形成されている。
【００３１】
また、前記リール本体の左右側板（左右フレーム２ａ，２ｂ）の内側には、釣糸の放出方向に沿って延出し、ラインガイド３２の左右の係合部３２ｃ，３２ｄがそれぞれ係合する長溝２ｃ，２ｄが形成されている。この場合、揺動体３０が、支持部３１を回動中心として、上述したように円弧状に揺動されると、それぞれの長溝２ｃ，２ｄに係合される左右の係合部３２ｃ，３２ｄは、反対方向に移動するようになる。すなわち、左側の係合部３２ｃが後方側に移動すると、右側の係合部３２ｄは前方側に移動し、逆に、左側の係合部３２ｃが前方側に移動すると、右側の係合部３２ｄは後方側に移動して、ラインガイド３２の釣糸案内部３２ａは左右に円弧状に揺動するようになっている。
【００３２】
上述したクラッチ機構５０は、右フレーム２ｂに沿って回動可能に支持されたクラッチ駆動部材（クラッチプレート）５１と、このクラッチ駆動部材５１を駆動するクラッチ切換部材（以下、切換部材とする）５２とを備えている。
【００３３】
本実施形態の切換部材５２は、クラッチ機構５０をＯＮ状態からＯＦＦ状態に切換操作すべく、スプール５の後方側で左右側板２Ａ，２Ｂ間に押圧操作可能に配置されている。この切換部材５２は、少なくともクラッチ機構５０をＯＮ状態からＯＦＦ状態に切換操作するものであり、ＯＦＦ状態からＯＮ状態への切換操作については、前記クラッチ駆動部材５１に設置される公知の自動復帰機構（ハンドルの巻き取り操作により自動復帰させる）によって成される。もちろん、切換部材５２の引き上げ操作によっても、ＯＦＦ状態からＯＮ状態への復帰が可能となっている。
【００３４】
前記リール本体１には、図１に示すように、スプール５を露出させて、その両サイドが左右両側板２Ａ，２Ｂの上面を覆うと共に、その前方が左右両側板を横架するような形状を有する移動部材５４が配設されている。この移動部材５４は、前記ラインガイド３２の上側開口を解放する釣糸放出モードと、ラインガイド３２の少なくとも一部（ラインガイド内に位置する釣糸が外れなければ良い）を閉じる釣糸案内モードとの間で切換可能（開閉可能）となっており、リール本体１を握持保持する手の親指が当接可能なパーミング部（パーミング入り操作部；第２及び第３実施形態）５４ａを前方に有している。また、移動部材５４は、パーミング部５４ａと一体化されて、左右側板２Ａ，２Ｂの上方側を覆うように左右平坦部５４ｂ，５４ｃが一体形成されている。
【００３５】
上記した移動部材５４により、釣糸案内装置２０のラインガイド３２は、上面から見た際（図２参照）、少なくともガイド部３２ｅ，３２ｆと、釣糸案内部３２ａの一部が、パーミング部５４ａによって覆われた状態となっている。
【００３６】
移動部材５４は、上記のように、パーミング部５４ａが開閉できるように、リール本体の後方側が回動中心となってリール本体１に対して回動可能に支持されている。本実施形態では、図４、図５及び図９に示すように、前記スプール５のフランジ５ｂに沿ってリール本体１に一体形成されている環状突部１Ａを囲繞するように形成されたリング状保持部５４Ａによって、移動部材５４はリール本体１に対して回動可能に支持されている。すなわち、移動部材５４のパーミング部５４ａは、リング状保持部５４Ａ（スプール軸５ａ）を中心として開閉（回動）可能に支持されている。なお、組み立ての容易性を考慮し、フランジ５ｂは、リール本体１とは別部材としてネジ止め等でリール本体１に一体化しても良く、また、リング状保持部５４Ａを移動部材５４と別部材としてネジ止め等で移動部材５４と一体化しても良い。
【００３７】
前記クラッチ機構５０の切換部材５２は、クラッチ駆動部材５１に一体化されている。具体的には、クラッチ駆動部材５１に設けられる連結部５１ｄが左側板側に向けて屈曲されると共に、右フレーム２ｂに形成された円弧状の孔２ｈを通過してスプール後方側に配置される切換部材５２に固定されている。これにより、スプール後方側の左右側板２Ａ，２Ｂ間に配置された切換部材５２を押圧操作することで、クラッチ駆動部材５１を回動させることが可能となる。この場合、切換部材５２は、右側板側から左側板側に延出する途中で切断されており、この切断部分で前記移動部材５４と関連するようになっている。
【００３８】
一方、移動部材５４の左平坦部５４ｂ側は、後方領域において、右側板側に向かうように屈曲形成されており、この部分に切換部５４ｄが形成されている。切換部５４ｄは、左側板側から右側板側に延出する途中で切断されており、この切断部分において前記切換部材５２と関連するようになっている。
【００３９】
本実施形態の切換部材５２と移動部材５４は、図３に示すように、切換部材５２の端部側の上面の一部を切り欠いて係合凹所５２ａを形成すると共に、移動部材５４の切換部５４ｄの端部側に、係合凹所５２ａに合致するように係合突起５４ｅを形成することで関連している。これにより、移動部材５４は、それ自身を操作した際、切換部材５２を一体的に移動させることが可能となる。
【００４０】
すなわち、上記のような係合関係により、図３（ｂ）に示すように、切換部材５２を単独で押圧操作することができ（クラッチＯＮからクラッチＯＦＦへの切換操作）、また、図３（ｃ）に示すように、移動部材５４（切換部５４ｄ）を押圧操作することで、切換部材５２を一体的に押圧操作（クラッチＯＮからクラッチＯＦＦへの切換操作）できるようになっている。なお、切換部材５２を押圧操作した際、前記移動部材５４の切換部５４ｄはそのままの状態にあるため、パーミング部５４ａは回動することなく、釣糸案内モードとなっている（図６参照）。
【００４１】
前記クラッチ駆動部材５１は、公知のように、右フレーム２ｂに対して回動可能に支持されており、振り分けバネ５６によって、図５に示す動力伝達状態（クラッチＯＮ状態）と、図６（図７）に示す動力遮断状態（クラッチＯＦＦ状態）に振り分け保持されるようになっている。また、クラッチ駆動部材５１の表面には、前記ピニオン１２の円周溝に嵌合したヨーク５７と係合可能な一対のカム面５８が形成されている。
【００４２】
前記ヨーク５７の先端側は、右フレーム２ｂに突設された支持ピン５９によって保持されており、ヨーク５７は、各支持ピンに配設されたバネ部材（図示せず）によって常時、クラッチ駆動部材５１側に付勢された状態となっている。なお、図５は、ヨーク５７がバネ部材によってクラッチ駆動部材５１側に付勢された状態を示しており、このとき、ピニオン１２はスプール軸の端部に形成されている係合部に嵌合してクラッチＯＮ状態となっている。
【００４３】
そして、クラッチ機構５０のＯＦＦ状態への切換え操作が成されると、図６に示すように（又は図７に示すように）、クラッチ駆動部材５１は反時計回り方向に回動され、クラッチ駆動部材５１の表面に形成されたカム面５８がヨーク５７を軸方向にシフトさせ、ピニオン１２をスプール軸から離脱させる（クラッチＯＦＦ状態）。また、この状態は、前記振り分けバネ５６によって保持される。
【００４４】
なお、クラッチ機構５０のＯＦＦ状態への切換えは、上記のように、切換部材５２の押圧操作、或いは、移動部材５４の切換部５４ｄの押圧操作によって成される。この場合、前者の押圧操作では、図３（ｂ）及び図６に示すように、移動部材５４が回動することはなく、後者の押圧操作では、図３（ｃ）、図７及び図９に示すように、移動部材５４（パーミング部５４ａ）も一体的に回動し、前記ラインガイド３２の釣糸案内部３２ａの上方側が開放される釣糸放出モードに切換られる。
【００４５】
また、上記のように構成されたクラッチ機構５０には、クラッチＯＦＦ状態において、ハンドル８を巻き取り操作した際、自動的にクラッチ駆動部材５１をクラッチＯＮ状態の位置に復帰させる公知のクラッチ自動復帰機構６０が設けられている。
【００４６】
次に、上述したように構成される魚釣用リールの作用、及び効果について説明する。  
図５に示すクラッチＯＮ状態（このとき、切換部材５２と切換部５４ｄは、図３（ａ）に示す関係となっている）において、クラッチＯＦＦにする場合、釣り人は、パーミング部５４ａを開放させないのであれば、図３（ｂ）に示すように、切換部材５２側に指を当てて押圧操作する。このとき、図６に示すように、クラッチ駆動部材５１は、反時計回りに回動され、振り分けバネ５６によってその位置が保持される。
【００４７】
これにより、クラッチをＯＦＦにして仕掛け長を調整する際、移動部材５４（パーミング部５４ａ）は回動していないことから、邪魔になったり、移動部材５４に糸絡みすることが防止される。また、クラッチをＯＦＦにして釣糸（仕掛け）を所望の位置へ繰り出す際、一方の手でリール本体１を握持保持し、他方の手でサミング操作しながらバックラッシュや糸絡みの防止を図るような釣法も容易に行えるようになる。
【００４８】
一方、キャスティング操作する場合など、釣り人がパーミング部５４ａを開放したいのであれば、図３（ｃ）に示すように、切換部５４ｄ側に指を当てて押圧操作する。このとき、前記同様、ピニオン１２はスプール軸から離脱する（クラッチＯＦＦ状態）と共に、パーミング部５４ａは、左右側板２Ａ，２Ｂから上昇するように回動され、ラインガイド３２の釣糸案内部３２ａの上方側は開放される（図７〜図９参照）。
【００４９】
この状態で、スプール５はフリー回転可能状態となっており、キャスティング操作等により、釣糸は放出される。この場合、釣糸は、図７の点線ＳからＳ´に示すように、上方に向けて膨出する傾向となるが、上記したように、釣糸案内部３２ａの上方側は開放された状態となっているため、他物から接触抵抗を受けることが少なくなり、仕掛けの飛距離を低下させるようなことはない。
【００５０】
以上のように、釣り人は、クラッチ機構５０をＯＦＦにする際、切換部材５２又は切換部５４ｄを押圧操作することで、必要に応じてパーミング部５４ａを開閉することが選択できるため、仕掛け調整、キャスティング操作、クラッチをＯＦＦにして釣糸を繰り出しつつサミング操作する釣法など、幅広い対応が可能となり、操作性の向上が図れるようになる。特に、キャスティング操作する際には、切換部５４ｄを押圧操作することで、クラッチＯＦＦ状態の切換え、及びパーミング部の開放が同時に行えるため、操作性が向上する。
【００５１】
なお、上記した構成では、パーミング部５４ａの裏面に、耐摩耗性を有すると共に、摺動抵抗の少ない部材（釣糸接触部材）５４Ｂを取着しておくことが好ましい。このような釣糸接触部材５４Ｂを取着しておくことで、釣糸放出時や釣糸巻き取り時に釣糸が接触しても、切れることを防止でき、かつ接触抵抗を更に軽減することが可能となる。
【００５２】
そして、クラッチＯＮ状態への復帰は、ハンドル８を巻き取り操作することで、前記クラッチ自動復帰機構６０によって行うことが可能となる。また、移動部材５４については、釣糸放出操作した後、パーミング部５４ａを押圧することで、図９（ａ）に示す状態に戻すことが可能となる。
【００５３】
その後、ハンドル８を巻き取り操作することで、釣糸案内装置２０のラインガイド３２によって、釣糸はスプール５に対して平行に巻回される。すなわち、ハンドル８を巻き取り操作することで、上記した釣糸案内装置２０の螺軸２１は、ハンドル軸８ａに設けられた入力ギヤ１１ａ、及びこれに噛合する歯車２１ａを介して回転駆動され、スライダ本体２２は、螺軸２１の外周面に形成された螺旋溝２１ｂと係合する摺動子２６を介して、ガイド軸２３に沿って左右往復動される。また、これに伴い、ラインガイド３２が設けられた揺動体３０は、スライダ本体２２が左右往復動されることで、スライダ本体２２に形成された長孔２２ａ及びそれに係合する連結部３０ｃを介して、リール本体１のスプール５の下方側に支持された支持部３１を中心として、その前方側が円弧状に揺動される。この結果、釣糸は、ラインガイド３２の釣糸案内部３２ａに入り込んで、スプール５に対して平行に巻回される。なお、釣糸がスプール５に対して多少ふけても、釣糸は、後方に向けて次第に広がるように傾斜したガイド部３２ｅ，３２ｆによって釣糸案内部３２ａに向けて案内される。
【００５４】
図１０及び図１１は、本発明の第２の実施形態を示しており、図１０（ａ）は、移動部材の切換部とクラッチ機構の切換部材の配置態様を示す図、図１０（ｂ）は、図１０（ａ）のＡ−Ａ線に沿った断面図、図１０（ｃ）は、切換部材を操作した状態を示す図、図１０（ｄ）は移動部材の切換部を操作した状態を示す図である。また、図１１（ａ）は、図１０に示す構成において、連結部材によって移動部材の切換部とクラッチ機構の切換部材を一体化した状態を示す図、図１１（ｂ）は、図１１（ａ）のＢ−Ｂ線に沿った断面図、そして、図１１（ｃ）は、両部材を操作した状態を示す図である。
【００５５】
この実施形態では、上記した実施形態の移動部材５４の切換部５４ｄと切換部材５２との間に、両部材を一体的に移動可能にする連結部材７０を配設している。  
【００５６】
この連結部材７０は、水平方向にスライド操作できるように構成されており、切換部材５２にスライド穴５２ｆを形成し、この部分に連結部材（操作レバー）７０を水平方向に移動可能に配置すると共に、切換部５４ｄ側にも連結部材７０が嵌入できる嵌入穴５４ｆを形成しておく。また、切換部材５２には、連結部材７０を水平方向に操作できるように水平方向に延出する開口５２ｈが形成されており、この部分に前記連結部材７０に設けられた突片７０ａが配置されている。
【００５７】
上記した構成により、連結部材７０を非連結状態（図１０に示す状態）にしておくことで、上述した第１の実施形態と同様な作用効果を得ることができる。そして、突片７０ａを摘んで連結部材７０を連結状態（図１１に示す状態）にすることで、切換部材５２と切換部５４ｄ（移動部材５４）を一体化することが可能となり、これにより、クラッチＯＦＦ状態では、パーミング部５４ａを押圧することでクラッチＯＮ状態に切り換えることが可能となる。すなわち、釣竿と共にリール本体１を握持、保持している側の手の指で簡単にクラッチＯＮ状態への切換操作が行え、更には、それとは反対側の手をリール本体１に添えるような簡単な動作で切換操作が行えるようになる。
【００５８】
図１２及び図１３は、本発明の第３の実施形態を示しており、図１２（ａ）は、移動部材の切換部とクラッチ機構の切換部材の配置態様を示す図、図１２（ｂ）は、図１２（ａ）のＣ−Ｃ線に沿った断面図、図１２（ｃ）は、切換部材を操作した状態を示す図、図１２（ｄ）は移動部材の切換部を操作した状態を示す図である。また、図１３（ａ）は、図１２に示す構成において、連結部材によって移動部材の切換部とクラッチ機構の切換部材を一体化した状態を示す図、図１３（ｂ）は、図１２（ａ）のＤ−Ｄ線に沿った断面図、そして、図１３（ｃ）は、両部材を操作した状態を示す図である。
【００５９】
この実施形態では、上記した第１の実施形態における移動部材５４の切換部５４ｄ及び切換部材５２に、係合突起５４ｅ及び係合凹所５２ａを形成することなく、両部材を個別操作可能に構成している。また、両部材の間には、上記した第２実施形態と同様、両部材を一体的に移動可能にする連結部材７０を配設している。
【００６０】
このような構成では、図１２（ｃ）に示すように、クラッチ機構のみをＯＦＦ状態に切換えることに加え、図１２（ｄ）に示すように、パーミング部のみを開放状態に切換えることが可能となる。また、図１３（ａ）〜（ｃ）に示すように、切換部材５２と切換部５４ｄ（移動部材５４）を一体化することにより、上記した第２実施形態と同様な作用効果が得られる。
【００６１】
また、移動部材５４の切換部５４ｄと、切換部材５２を個別操作が可能となるように構成したことで、例えば、実釣時において、釣糸案内装置部分で糸絡みした場合など、クラッチ機構をＯＮにしたままパーミング部５４ａを開放することができるため、糸絡みの解消作業などが容易に行えるようになり、より操作性の向上が図れるようになる。
【００６２】
以上、本発明の実施形態について説明したが、本発明は、上記した実施形態に限定されることはなく、種々変形することが可能である。  
例えば、移動部材５４については、釣糸放出モードと釣糸案内モードとの間で振り分けて保持されるように、リール本体１と移動部材５４との間に振り分け保持部材を配置しておいても良い。或いは、上記した実施形態において、リール本体１に一体形成されている環状突部１Ａと移動部材５４のリング状保持部５４Ａとの間に凹凸部を形成し、移動部材５４の回動時に節度を持たせても良い。また、本発明は、クラッチ機構の切換部材５２が、移動部材５４（切換部５４ｄ）に対して個別操作できるように構成されていれば良く、移動部材５４の形状や、切換部５４ｄと切換部材５２の関連態様についても適宜変形することが可能である。
【符号の説明】
【００６３】
１  リール本体
２Ａ，２Ｂ  左右側板
５  スプール
３２  ラインガイド
５０  クラッチ機構
５２  切換部材
５４  移動部材
５４ａ  パーミング部
５４ｄ  切換部
【図１】
2011177154.tif 000003
【図２】
2011177154.tif 000004
【図３】
2011177154.tif 000005
【図４】
2011177154.tif 000006
【図５】
2011177154.tif 000007
【図６】
2011177154.tif 000008
【図７】
2011177154.tif 000009
【図８】
2011177154.tif 000010
【図９】
2011177154.tif 000011
【図１０】
2011177154.tif 000012
【図１１】
2011177154.tif 000013
【図１２】
2011177154.tif 000014
【図１３】
2011177154.tif 000015